(57)【要約】【課題】  絣織物のような外観を有する、新規の織物及びその織成方法を提供する。【解決手段】  織物Ｋ１は、撚り糸１１と、単色の単糸１０の二種類の糸を経糸として用い、単色の単糸２０を緯糸として用いて平織りにて織成されている。撚り糸１１は、単色の単糸１１０と、長さ方向に所要間隔で染め分けられている絣糸１１１の二本の単糸を撚り合わせて形成されている。撚り糸１１１は、全長にわたり撚りのピッチが略同じになるように撚られている。【選択図】        図１
2005154957.tif 000002
【特許請求の範囲】
【請求項１】
少なくとも一本以上の絣糸を含む複数本の単糸を撚って形成してある撚り糸を有しており、当該撚り糸を経糸または／及び緯糸として用いて織成してあることを特徴とする、
織物。
【請求項２】
少なくとも色彩の異なる二本の単糸を含む複数本の単糸を、撚りが均等でないように撚って形成してある撚り糸を有しており、当該撚り糸を経糸または／及び緯糸として用いて織成してあることを特徴とする、
織物。
【請求項３】
少なくとも一本以上の絣糸を含む複数本の単糸を、撚りが均等でないように撚って形成してある撚り糸を有しており、当該撚り糸を経糸または／及び緯糸として用いて織成してあることを特徴とする、
織物。
【請求項４】
撚り糸は太さの異なる単糸を備えて構成してあることを特徴とする、
請求項１，２または３記載の織物。
【請求項５】
撚り糸が意匠撚り糸であることを特徴とする、
請求項１，２，３または４記載の織物。
【請求項６】
少なくとも一本以上の絣糸を含む複数本の単糸を撚って形成してある撚り糸を、経糸または／及び緯糸として使用して織成することを特徴とする、
織物の織成方法。
【請求項７】
少なくとも色彩の異なる二本の単糸を含む複数本の単糸を、撚りが均等でないように撚って形成してある撚り糸を、経糸または／及び緯糸として使用して織成することを特徴とする、
織物の織成方法。
【請求項８】
少なくとも一本以上の絣糸を含む複数本の単糸を、撚りが均等でないように撚って形成してある撚り糸を、経糸または／及び緯糸として使用して織成することを特徴とする、
織物の織成方法。
【発明の詳細な説明】
【技術分野】
【０００１】
本発明は織物及びその織成方法に関する。更に詳しくは、絣織物のような外観を有する、新規の織物及びその織成方法に関する。
【背景技術】
【０００２】
従来から織物には多種の織り方があり、そのうちの一つに撚り糸を経糸や緯糸の一部に使用したものがある。この種の織物は、単糸だけを織ったものとは異なる特有の風合いを有しており、一般的に広く受け入れられている。
【０００３】
また、織物には、染め分けてつくった絣糸（単糸）を経糸や緯糸に用い、織ることによって模様を形作る「絣織物」というものがある。絣織物は、例えば、久留米絣、伊予絣、備後絣などが広く知られている。このような絣織物は、例えば、久留米絣の場合では、柄つくり、整経、藍染め、絣解き、管巻、織り、仕上げなど、約三十の複雑な作業工程を経て製造される。
【発明の開示】
【発明が解決しようとする課題】
【０００４】
絣織物は、古くから生産されているため伝統的な織物としてのイメージが強い。そのため、現代の生活様式の中にはそぐわない場面も多く、近年では目にする機会が少なくなっているのが現状である。
【０００５】
本発明者は、絣織物の良さを生かしつつも、現代の衣服（洋服）等に違和感なく用いられるような新しい織物ができないものか研究を重ねていた。
そうして、既に一般的に広く受け入れられている撚り糸を使った織物に対して、絣織物のような外観を持たせることができれば、今までにない織物ができるのではないかという着想を得た。
本発明は、上記着想に基づき完成されたものである。
【０００６】
本発明の目的は、絣織物のような外観を有する、新規の織物及びその織成方法を提供することにある。
【課題を解決するための手段】
【０００７】
上記目的を達成するために講じた本発明の手段は次のとおりである。
第１の発明にあっては、
少なくとも一本以上の絣糸を含む複数本の単糸を撚って形成してある撚り糸を有しており、当該撚り糸を経糸または／及び緯糸として用いて織成してあることを特徴とする、
織物である。
【０００８】
第２の発明にあって、
少なくとも色彩の異なる二本の単糸を含む複数本の単糸を、撚りが均等でないように撚って形成してある撚り糸を有しており、当該撚り糸を経糸または／及び緯糸として用いて織成してあることを特徴とする、
織物である。
【０００９】
第３の発明にあって、
少なくとも一本以上の絣糸を含む複数本の単糸を、撚りが均等でないように撚って形成してある撚り糸を有しており、当該撚り糸を経糸または／及び緯糸として用いて織成してあることを特徴とする、
織物である。
【００１０】
第４の発明にあって、
撚り糸は太さの異なる単糸を備えて構成してあることを特徴とする、
第１，第２または第３の発明に係る織物である。
【００１１】
第５の発明にあって、
撚り糸が意匠撚り糸であることを特徴とする、
第１，第２，第３または第４の発明に係る織物である。
【００１２】
第６の発明にあって、
少なくとも一本以上の絣糸を含む複数本の単糸を撚って形成してある撚り糸を、経糸または／及び緯糸として使用して織成することを特徴とする、
織物の織成方法である。
【００１３】
第７の発明にあって、
少なくとも色彩の異なる二本の単糸を含む複数本の単糸を、撚りが均等でないように撚って形成してある撚り糸を、経糸または／及び緯糸として使用して織成することを特徴とする、
織物の織成方法である。
【００１４】
第８の発明にあって、
少なくとも一本以上の絣糸を含む複数本の単糸を、撚りが均等でないように撚って形成してある撚り糸を、経糸または／及び緯糸として使用して織成することを特徴とする、
織物の織成方法である。
【００１５】
特許請求の範囲及び明細書において「撚り糸」という用語は、複数の単糸（繊維束を加撚して作った糸）を撚り合わせて形成したものを示す概念として使用している。
【００１６】
撚り糸は、経糸または緯糸として用いて織成することもできるし、経糸及び緯糸として用いて織成することもできる。
【００１７】
撚り糸は、左撚り（Ｚ撚り）のものを使用することもできるし、右撚り（Ｓ撚り）のものを使用することもできる。また、撚りのピッチ（強さ）も特に限定するものではない。
【００１８】
撚り糸を構成する各単糸の太さ（番手、デニール）も特に限定するものではない。撚り糸は、例えば、太さが同じ単糸を撚って構成することもできるし、太さが異なる単糸を撚って構成することもできる。
【００１９】
撚り糸は、意匠撚り糸（ファンシーヤーン）を使用することもできる。意匠撚り糸としては、特に限定するものではないが、例えば、ループヤーン、ネップヤーン、ブークレヤーン、ノットヤーン、スラブヤーン、モールヤーン、クレープヤーン、リボンヤーン等を挙げることができる。
【００２０】
撚り糸は、構成する単糸の数が多くなると織成した織物の表面に表れる各単糸のピッチ（距離）が広くなり、絣織物が備える独特な模様が表現し難くなるので、一般的には二本から四本の単糸で構成されるのが好ましい。更には、二本または三本の単糸で構成されるのが好ましい。
【００２１】
（作  用）
少なくとも一本以上の絣糸を含む複数本の単糸を撚って形成してある撚り糸を有しており、当該撚り糸を経糸や緯糸として用いて織成したものは、撚り糸を構成する絣糸の染め分けられた部分が、経糸や緯糸をくぐって表面側に出たときに表面に表れる。
【００２２】
少なくとも色彩の異なる二本の単糸を含む複数本の単糸を、撚りが均等でないように撚って形成してある撚り糸を有しており、当該撚り糸を経糸や緯糸として用いて織成したものは、撚り糸を構成する所定の単糸が、他の単糸に覆われて隠されない状態で、経糸や緯糸をくぐって表面側に出たときに表面に表れる。この表面に表れる単糸は、撚り糸の撚りが均等でないので、無作為に不均一な状態で表面に表れる。
【００２３】
撚り糸が太さの異なる単糸を備えて構成されているものや、撚り糸が意匠撚り糸であるものは、撚り糸を備えた織物が有する風合いに加えて、更に織物の外観を変えることができる。
【発明の効果】
【００２４】
本発明に係る織物及びその織成方法によれば、撚り糸を構成する絣糸の染め分けられた部分や、撚り糸を構成する所定の単糸を表面の所々に表すことができるので、撚り糸を使った織物特有の風合いを備えながらも、絣織物のような外観を有することができる。撚り糸を使った織物は、既に現代の市場において広く受け入れられており、多彩な商品に用いられている。従って、本発明に係る織物及びその織成方法で織成された織物にあっても、古来からある伝統的な絣織物より違和感なく現代の生活の中に受け入れられ易いことが期待できる。
【発明を実施するための最良の形態】
【００２５】
本発明の実施の形態を図面に基づき更に詳細に説明する。
図１は本発明に係る織物の一実施の形態を示す織り組織の部分拡大説明図、
図２は図１に示す織物を構成する撚り糸の一部を拡大して示しており、単糸から撚り糸を形成する状態を示す説明図である。
なお、図１は織り組織を見易くするために、各経糸と各緯糸は、相互に若干の隙間を設けた状態で表している。しかし、実際の織物は実質的に隙間が形成されないよう織成される。
また、図１及び図２において示す網掛け部分と白抜き部分は、それぞれの色彩が異なっていることを表現している。
【００２６】
図１は織物Ｋ１の一部分を表している。織物Ｋ１は、撚り糸１１と、単色の単糸１０の二種類の糸を経糸として用い、前記単糸１０と同一の色彩を有する単色の単糸２０を緯糸として用いて平織りにて織成されている。
【００２７】
撚り糸１１は、単色の単糸１１０と、長さ方向に所要間隔で染め分けられている絣糸１１１の二本の単糸を撚り合わせて形成されている（図２参照）。絣糸１１１は図１及び図２において長さ方向に網掛け部分と白抜き部分を交互に設けて示している。撚り糸１１１は、全長にわたり撚りのピッチが略同じになるように撚られている。
【００２８】
織物Ｋ１において撚り糸１１は、複数本（図１では６本）を並べ、所要間隔をあけて更に複数本を並べて織成されている（所要間隔をあけた箇所に織成したものは図示していない）。
【００２９】
織物Ｋ１において、経糸として用いた単糸１０と、緯糸として用いた単糸２０と、撚り糸１１を構成する単色の単糸１１０、絣糸１１１の網掛け部分は、同じ色彩を有するよう設定した。
また、本実施の形態において織物Ｋ１を構成する単糸は、木綿製のものを使用した。
【００３０】
（作  用）
図１及び図２を参照して本実施の形態で示す織物Ｋ１の作用を説明する。
織物Ｋ１は、絣糸１１１を含む撚り糸１１を経糸の一部に設けて織成しているので、撚り糸１１を構成する絣糸１１１の白抜き部分は、緯糸をくぐって表面側に出たときに表面に表れる。特に、絣糸１１１が単糸１１０より表面側（上側）にあるときには、はっきりと表れる。
【００３１】
このように織物Ｋ１によれば、絣糸１１１の白抜き部分を表面の所々に表すことができるので、撚り糸を使った織物特有の風合いを備えながらも、絣織物のような外観を有することができる。撚り糸を使った織物は、既に現代の市場において広く受け入れられており、多彩な商品に用いられている。従って、織物Ｋ１についても、古来からある伝統的な絣織物より違和感なく現代の生活の中に受け入れられ易いことが期待できる。
【００３２】
本実施の形態では、経糸として用いた単糸１０と、緯糸として用いた単糸２０と、撚り糸１１を構成する単色の単糸１１０と、絣糸１１１の網掛け部分は、同じ色彩を有するようにしたが、これは限定するものではない。例えば、撚り糸１１を構成する単色の単糸１１０や、絣糸１１１の網掛け部分は、他の単糸と異なる色彩を有するようにしても良い。また、撚り糸１１を構成する単色の単糸１１０と絣糸１１１の網掛け部分も、異なる色彩を有するようにしても良い。
【００３３】
また、本実施の形態で撚り糸１１は、単色の単糸１１０と絣糸１１１の二本の単糸を撚り合わせて形成したものを示したが、これは限定するものではなく、例えば、代わりに図３に示すような撚り糸１２を使用することもできる。
この撚り糸１２は、二本の絣糸１２０，１２０を撚り合わせて形成されている。撚り糸１２は、全長にわたり撚りのピッチが略同じになるように撚られている。撚り糸１２を使用した織物は、上記した織物Ｋ１より更に絣糸１２０，１２０の白抜き部分を表面の所々に表すことができる。
【００３４】
図４は本発明に係る織物の他の実施の形態を示す織り組織の部分拡大説明図、
図５は図４に示す織物を構成する撚り糸の一部を拡大して示しており、単糸から撚り糸を形成する状態を示す説明図である。
なお、図４及び図５において、上記図１及び図２で示したものと同一または同等箇所には同一の符号を付して示している。
図４についても図１と同様、織り組織は各経糸と各緯糸の間に若干の隙間を設けた状態で表しているが、実際の織物は実質的に隙間は形成されないように織成される。
また、図４及び図５において示す網掛け部分と白抜き部分も、それぞれの色彩が異なっていることを表現している。
【００３５】
図４は織物Ｋ２の一部分を表している。織物Ｋ２は、撚り糸１３と、単色の単糸１０の二種類の糸を経糸として用い、前記単糸１０と同一の色彩を有する単色の単糸２０を緯糸として用いて平織りにて織成されている。
【００３６】
撚り糸１３は、それぞれに色彩の異なる二本の単色の単糸１３０，１３１を、撚りのピッチが長さ方向において均一にならないよう撚り合わせて形成されている（図５参照）。詳しくは撚り糸１３は、撚りのピッチの長さの短い箇所（撚りが強い箇所）や長い箇所（撚りが弱い箇所）ができるよう撚り合わせてある。
【００３７】
織物Ｋ２において撚り糸１３は、複数本（図４では６本）を並べ、所要間隔をあけて更に複数本を並べて織成されている（所要間隔をあけた箇所に織成したものは図示していない）。
【００３８】
織物Ｋ２において、経糸として用いた単糸１０と、緯糸として用いた単糸２０と、撚り糸１３を構成する１本の単糸１３０（網掛け部分）は、同じ色彩を有するよう設定した。
また、本実施の形態において織物Ｋ２を構成する単糸は、木綿製のものを使用した。
【００３９】
（作  用）
図３及び図４を参照して本実施の形態で示す織物Ｋ２の作用を説明する。
織物Ｋ２は、撚り糸１３を経糸の一部に設けて織成しているので、撚り糸１３を構成する白抜き部分で表現した単糸１３１は、もう一方の単糸１３０に覆われて隠されない状態で、緯糸をくぐって表面側に出たときに表面に表れる。この白抜き部分で表現した単糸１３１は、撚り糸１３が撚りのピッチの長さの短い箇所や長い箇所ができるよう、長さ方向において均一にならずに撚り合わせてあるので、無作為に不均一な状態で表面に表れる。
【００４０】
このように織物Ｋ２によれば、撚り糸１３の白抜き部分で表現した単糸１３１を表面の所々に表すことができるので、撚り糸１３を使った織物特有の風合いを備えながらも、いわば絣織物のような外観を有することができる。
【００４１】
本実施の形態では、経糸として用いた単糸１０と、緯糸として用いた単糸２０と、撚り糸１３を構成する１本の単糸１３０（網掛け部分）は、同じ色彩を有するようにしたが、これは限定するものではない。例えば、撚り糸１３を構成する単糸１３０は、他の単糸と異なる色彩を有するようにしても良い。
【００４２】
上記各実施の形態に示す織物は、木綿製の単糸で織成したものを示したが、これは限定するものではなく、織物を構成する単糸は、例えば、毛、絹、麻、化学繊維（ナイロン、ポリエステル、アクリル等）等で形成したものを使用することもできる。
【００４３】
上記各実施の形態で織物は平織りのものを示したが、これも限定するものではなく、例えば、綾織り（斜文織り）、朱子織り等にすることもできる。
【００４４】
上記各実施の形態では経糸に撚り糸を使用したものを示したが、これは限定するものではなく、撚り糸は緯糸に用いることもできる。また、織物は、経糸と緯糸の両方に撚り糸を設けて織成することもできる。
【００４５】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４６】
【図１】本発明に係る織物の一実施の形態を示す織り組織の部分拡大説明図。
【図２】図１に示す織物を構成する撚り糸の一部を拡大して示しており、単糸から撚り糸を形成する状態を示す説明図。
【図３】撚り糸の他の例を示す説明図。
【図４】本発明に係る織物の他の実施の形態を示す織り組織の部分拡大説明図。
【図５】図４に示す織物を構成する撚り糸の一部を拡大して示しており、単糸から撚り糸を形成する状態を示す説明図。
【符号の説明】
【００４７】
Ｋ１，Ｋ２  織物
１０  単糸
１１  撚り糸
１１０  単糸
１１１  絣糸
１２  撚り糸
１２０  絣糸
１３  撚り糸
１３０  単糸
１３１  単糸
２０  単糸
【図１】
2005154957.tif 000003
【図２】
2005154957.tif 000004
【図３】
2005154957.tif 000005
【図４】
2005154957.tif 000006
【図５】
2005154957.tif 000007